(57)【要約】【課題】車両の型式に適した点検を実施できる。【解決手段】点検支援プログラムは、車両の点検を支援するためのプログラムであって、点検支援装置２を、車両に対応する車両登録情報を取得する登録情報取得部２５１、車両登録情報に関連付けられた無線識別情報を有する車載無線機から、車両の型式を示す車両識別番号を取得する車両識別番号取得部２５２、車両識別番号が示す車両の型式に関連付けられた複数の点検項目を示す点検項目情報を取得する点検項目情報取得部２５３、及び点検項目情報が示す複数の点検項目を点検対象項目として表示部に表示させる表示制御部２５４として機能させる。【選択図】図４
2020201226.tif 000002
【特許請求の範囲】
【請求項１】
車両の点検を支援するためのプログラムであって、
コンピュータを、
前記車両に対応する車両登録情報を取得する登録情報取得部、
前記車両登録情報に関連付けられた無線識別情報を有する車載無線機から、前記車両の型式を示す車両識別番号を取得する車両識別番号取得部、
前記車両識別番号が示す前記車両の型式に関連付けられた複数の点検項目を示す点検項目情報を取得する点検項目情報取得部、及び
前記点検項目情報が示す前記複数の点検項目を点検対象項目として表示部に表示させる表示制御部
として機能させるための点検支援プログラム。
【請求項２】
前記コンピュータを、
前記点検対象項目が示す複数の点検項目のうち、点検を実施する点検項目の選択を受け付ける選択受付部
としてさらに機能させるための請求項１に記載の点検支援プログラム。
【請求項３】
前記表示制御部は、前記点検対象項目が示す複数の点検項目のうち、選択を受け付けていない点検項目を示す情報を前記表示部に表示させる、
請求項２に記載の点検支援プログラム。
【請求項４】
前記表示制御部は、選択を受け付けていない点検項目を示す情報を含む点検結果を前記表示部に表示させる、
請求項３に記載の点検支援プログラム。
【請求項５】
前記表示制御部は、点検を実施する点検項目に追加する点検項目の入力を受け付ける入力受付画面を前記表示部に表示させる、
請求項１から４のいずれか一項に記載の点検支援プログラム。
【請求項６】
車両の点検を支援するための点検支援システムであって、
前記車両に対応する車両登録情報を取得する登録情報取得部と、
前記車両登録情報に関連付けられた無線識別番号情報を有する車載無線機から、前記車両の型式を示す車両識別番号を取得する車両識別番号取得部と、
前記車両識別番号が示す前記車両の型式に関連付けられた複数の点検項目を示す点検項目情報を取得する点検項目情報取得部と、
前記点検項目情報が示す前記複数の点検項目を点検対象項目として前記車両の点検を行うユーザの情報端末に表示させる表示制御部と
を有する点検支援システム。
【発明の詳細な説明】
【技術分野】
【０００１】
本発明は、車両の点検を支援する点検支援プログラム及び点検支援システムに関する。
【背景技術】
【０００２】
車両の特徴（ハンドルの位置、車体形状及びドアの数）に応じた点検項目を表示する技術が開示されている（例えば、特許文献１を参照）。
【先行技術文献】
【特許文献】
【０００３】
【特許文献１】特開２０１５−１２７９１８号公報
【発明の概要】
【発明が解決しようとする課題】
【０００４】
しかしながら、同じ特徴を持つ車両であっても、車両の型式が異なると、車両に設置される装置が異なる場合がある。そのため、車両の特徴に応じた点検項目を表示すると、点検を実施する必要がある点検項目が表示されない場合、又は点検を実施する必要がない点検項目が表示されてしまう場合があり、車両の型式に適した点検を実施できないおそれがあった。
【０００５】
そこで、本発明はこれらの点に鑑みてなされたものであり、車両の型式に適した点検を実施できる技術を提供することを目的とする。
【課題を解決するための手段】
【０００６】
本発明の第１の態様においては、車両の点検を支援するためのプログラムであって、コンピュータを、前記車両に対応する車両登録情報を取得する登録情報取得部、前記車両登録情報に関連付けられた無線識別情報を有する車載無線機から、前記車両の型式を示す車両識別番号を取得する車両識別番号取得部、前記車両識別番号が示す前記車両の型式に関連付けられた複数の点検項目を示す点検項目情報を取得する点検項目情報取得部、及び前記点検項目情報が示す前記複数の点検項目を点検対象項目として表示部に表示させる表示制御部として機能させるための点検支援プログラムを提供する。
【０００７】
例えば、前記点検支援プログラムは、前記コンピュータを、前記点検対象項目が示す複数の点検項目のうち、点検を実施する点検項目の選択を受け付ける選択受付部としてさらに機能させる。
【０００８】
前記表示制御部は、前記点検対象項目が示す複数の点検項目のうち、選択を受け付けていない点検項目を示す情報を前記表示部に表示させてもよい。
【０００９】
前記表示制御部は、選択を受け付けていない点検項目を示す情報を含む点検結果を前記表示部に表示させてもよい。
【００１０】
前記表示制御部は、点検を実施する点検項目に追加する点検項目の入力を受け付ける入力受付画面を前記表示部に表示させてもよい。
【００１１】
本発明の第２の態様においては、車両の点検を支援するための点検支援システムであって、前記車両に対応する車両登録情報を取得する登録情報取得部と、前記車両登録情報に関連付けられた無線識別番号情報を有する車載無線機から、前記車両の型式を示す車両識別番号を取得する車両識別番号取得部と、前記車両識別番号が示す前記車両の型式に関連付けられた複数の点検項目を示す点検項目情報を取得する点検項目情報取得部と、前記点検項目情報が示す前記複数の点検項目を点検対象項目として前記車両の点検を行うユーザの情報端末に表示させる表示制御部とを有する点検支援システムを提供する。
【発明の効果】
【００１２】
本発明によれば、車両の型式に適した点検を実施できるという効果を奏する。
【図面の簡単な説明】
【００１３】
【図１】実施形態の点検支援システムの構成を示す図である。
【図２】点検アプリが起動された直後に点検支援装置が表示する画面を示す図である。
【図３】車両の構成を示す図である。
【図４】点検支援装置の構成を示す図である。
【図５】車両登録情報と、無線識別番号と、車両識別番号と、点検実施項目とを関連付けたデータテーブルの模式図である。
【図６】車両識別番号と車両の型式とを関連付けたデータテーブルの模式図である。
【図７】車両の型式と、複数の点検項目とを関連付けたデータテーブルの模式図である。
【図８】選択画面の一例を示す模式図である。
【図９】確認画面の一例を示す模式図である。
【図１０】点検支援装置が実行する処理のフローチャートである。
【図１１】点検結果画面の一例を示す模式図である。
【発明を実施するための形態】
【００１４】
［点検支援システムＳの概要］
図１は、実施形態の点検支援システムＳの構成を示す図である。点検支援システムＳは、車両１の点検を支援するための点検支援装置２を備える。車両１は、商用車であり、例えばトラックである。点検支援装置２は、車両１を点検する事業者が管理する装置であり、例えばスマートフォン又はタブレット等の情報端末である。
【００１５】
点検支援装置２は、点検用アプリケーションソフトウェア（以下、「点検アプリ」という。）が起動されることにより、車両１の点検に必要な点検項目及び点検方法をディスプレイに表示する。点検支援装置２は、点検結果を入力するユーザＵの操作を受け付ける。
【００１６】
また、点検支援装置２は、車両１に搭載された車載無線機を介して、無線通信により車両１と通信する。例えば、点検支援装置２は、Ｗｉ−Ｆｉ（登録商標）又はブルートゥース（登録商標）により車両１と通信する。点検支援装置２は、例えば、無線通信により、車両１の設備の状態を変化させるための指示情報を車両１へ送信する。
【００１７】
図２は、点検アプリが起動された直後に点検支援装置２が表示する画面を示す図である。図２に示すように、点検支援装置２は、点検する車両１を選択するための画面を表示する。図２の例では、車両登録情報「品川ＸＸＸあＹＹＹ」の車両を選択するための操作キーＫ１と、車両登録情報「品川ＸＸＸいＺＺＺ」の車両を選択するための操作キーＫ２とが表示されている。車両登録情報は、車両１を特定するための情報であり、ユーザＵにより予め登録されている。例えば、車両登録情報は、車両１の自動車登録番号である。
【００１８】
図２の画面において車両１を選択する操作が行われると、選択された車両１の点検に必要な点検項目が表示される。ユーザＵは、表示された点検項目に対応する点検を実施して、点検結果を点検支援装置２に入力する。また、点検支援装置２は、車両１の設備の状態を変化させて点検する点検項目を表示させた場合、点検項目に対応する設備の状態を変化させるための指示情報を車両１に送信する。このようにすることで、ユーザＵは、車両１を直接操作することなく、車両１を点検することができるようになる。
【００１９】
また、点検支援装置２は、点検する車両１を新たに追加できる。この場合、点検支援装置２は、車両１の型式に対応する複数の点検項目を表示し、表示した複数の点検項目のうちユーザＵが選択した点検項目を、当該車両１に対して点検を実施する点検実施項目として登録する。そして、点検支援装置２は、車両１の点検項目として登録された点検実施項目を表示する。このようにすることで、ユーザＵは、点検する車両１に適した点検を実施できるようになる。
【００２０】
［車両１の構成］
図３は、車両１の構成を示す図である。車両１は、車載無線機１１、各種ランプ１２、各種センサ１３及びＥＣＵ（Electronic Control Unit）１４を備える。ＥＣＵ１４は、記憶部１４１及び制御部１４２を有する。
【００２１】
車載無線機１１は、無線通信により点検支援装置２と通信するための装置である。車載無線機１１は、制御部１４２から通知された情報を点検支援装置２に送信する。また、車載無線機１１は、点検支援装置２から受信した情報を制御部１４２に通知する。車載無線機１１は、制御部１４２から通知された情報を、点検支援装置２以外の装置（例えば、サーバ）に送信してもよい。
【００２２】
各種ランプ１２は、例えば、ブレーキランプ、バックライト等である。各種センサ１３は、例えば、ブレーキペダルの踏み込みを検出するためのセンサ、ギヤがリヤに入ったことを検出するセンサ等である。
【００２３】
ＥＣＵ１４は、コンピュータによって車両１の各部を電子制御するための制御装置である。記憶部１４１は、例えば、ＲＯＭ（Read Only Memory）及びＲＡＭ（Random Access Memory）等により構成される。記憶部１４１は、制御部１４２を機能させるための各種プログラムや各種データを記憶する。
【００２４】
制御部１４２は、記憶部１４１に記憶されたプログラムを実行することにより、車両１の各部を制御する。例えば、制御部１４２は、車載無線機１１を介して点検支援装置２から受信した情報に基づいて各種ランプ１２を点灯させたり消灯させたりする。また、制御部１４２は、各種センサ１３が検出した検出結果に基づいて作成した情報を点検支援装置２に車載無線機１１を介して送信する。
【００２５】
［点検支援装置２の構成］
図４は、点検支援装置２の構成を示す図である。点検支援装置２は、通信部２１、操作部２２、表示部２３、記憶部２４及び制御部２５を備える。通信部２１は、無線通信により車両１と通信するための通信モジュールである。
【００２６】
操作部２２は、ユーザＵによる操作を受け付ける。操作部２２は、点検支援装置２が有する各種ボタン、及び表示部２３に重ねて設けられているタッチパネルを含む。操作部２２は、ユーザＵが操作をしたことを検出し、検出した操作内容を制御部２５に通知する。表示部２３は、各種画面を表示するディスプレイであり、例えば液晶ディスプレイである。
【００２７】
記憶部２４は、例えば、ＲＯＭ及びＲＡＭ等により構成される。記憶部２４は、制御部２５を機能させるための各種のプログラムを記憶する。また、記憶部２４は、車両登録情報と、無線識別番号と、車両識別番号とを関連付けて記憶する。
【００２８】
無線識別情報は、車両１が有する車載無線機１１を識別するための情報である。例えば、車載無線機１１を識別するための情報は、車載無線機１１のＳＳＩＤ（Service Set Identifier）である。なお、無線識別情報は、車載無線機１１に接続するための暗号化キーを含んでいてもよい。
【００２９】
車両識別番号は、車両１を識別するための車両１に固有の番号であり、例えばVehicle Identification Numberである。車両識別番号は、車両の型式を示す情報を含む。車両識別番号は、エンジン、ボディ、シャーシ、オプションパーツなどの車両１に搭載される装備の情報を含んでいてもよい。
【００３０】
記憶部２４は、車両登録情報に関連付けて、当該車両登録情報に対応する車両１の点検実施項目を記憶する。図５は、車両登録情報と、無線識別番号と、車両識別番号と、点検実施項目とを関連付けたデータテーブルの模式図である。図５の例では、車両登録情報「品川ＸＸＸあＹＹＹ」に、無線識別情報「１２３ＡＢＣ」と車両識別番号「ＤＥＦ９８７」と点検実施項目とが関連付けられている。
【００３１】
記憶部２４は、車両識別番号と、車両識別番号で示される車両の型式とを関連付けて記憶してもよい。車両の型式は、車両の車種やモデルを特定するための情報である。図６は、車両識別番号と車両の型式とを関連付けたデータテーブルの模式図である。
【００３２】
記憶部２４は、車両の型式と、複数の点検項目とを関連付けて記憶する。図７は、車両の型式と、複数の点検項目とを関連付けたデータテーブルの模式図である。例えば、記憶部２４は、車両の型式に、当該型式の車両の点検に必須である必須点検項目と、点検を実施するか否かを選択可能な選択点検項目とを関連付けて記憶する。選択点検項目は、例えば、車両１に装備される場合と装備されない場合があるオプションパーツの点検、又は車両１の製造者が推奨する点検である。
【００３３】
制御部２５は、ＣＰＵ（Central Processing Unit）等のプロセッサを含む。制御部２５は、記憶部２４に記憶されているプログラムを実行することによって、登録情報取得部２５１、車両識別番号取得部２５２、点検項目情報取得部２５３、表示制御部２５４及び選択受付部２５５として機能する。
【００３４】
登録情報取得部２５１は、点検する車両１に対応する車両登録情報を取得する。例えば、登録情報取得部２５１は、表示部２３に表示させた複数の車両登録情報からユーザＵが選択した車両登録情報を取得する。
【００３５】
車両識別番号取得部２５２は、登録情報取得部２５１が取得した車両登録情報に点検実施項目が関連付けられていない場合、車両１の型式を示す車両識別番号を取得する。例えば、車両識別番号取得部２５２は、車両登録情報に関連付けられた無線識別情報を有する車載無線機１１から車両識別番号を取得する。具体的には、車両識別番号取得部２５２は、点検支援装置２と通信可能に接続された車載無線機１１から車両識別番号を取得する。
【００３６】
点検項目情報取得部２５３は、記憶部２４に記憶された車両の型式と、複数の点検項目とを関連付けたデータテーブルを参照して、車両識別番号取得部２５２が取得した車両識別番号が示す車両の型式に関連付けられた複数の点検項目を示す点検項目情報を取得する。表示制御部２５４は、取得した点検項目情報が示す複数の点検項目を点検対象項目として表示部２３に表示させる。例えば、表示制御部２５４は、車両の型式に関連付けられた選択対象項目を点検対象項目として表示させる。なお、表示制御部２５４は、必須点検項目を点検対象項目として表示させてもよい。
【００３７】
表示制御部２５４は、表示部２３に表示させた選択対象項目のうち、点検を実施する点検項目の選択を受け付けるための選択画面を表示させる。選択画面には、選択対象項目を選択するための選択部が含まれている。図８は、選択画面の一例を示す模式図である。図８の選択部ＣＢ１〜ＣＢ３は、選択対象項目の選択を受け付けるチェックボックスである。
【００３８】
選択受付部２５５は、点検対象項目が示す複数の点検項目のうち、点検を実施する点検項目の選択を受け付ける。具体的には、選択受付部２５５は、選択部ＣＢ１〜ＣＢ３に入力された選択操作を受け付ける。ユーザＵは、選択部ＣＢ１〜ＣＢ３をチェックすることにより、チェックしたチェックボックスに対応する選択対象項目を点検実施項目として選択できる。
【００３９】
表示制御部２５４は、点検を実施する点検項目に追加する点検項目の入力を受け付ける入力受付画面を表示部２３に表示させてもよい。例えば、表示制御部２５４は、点検項目の入力を受け付ける入力受付部を含む選択画面を入力受付画面として表示させる。図８の入力受付部Ｋ６１は、点検項目の入力を受け付けるテキストボックスである。ユーザＵは、テキストボックスに任意の文字列を入力できる。
【００４０】
ユーザＵは、追加キーＫ６２を選択することで入力受付部を追加することができる。表示制御部２５４は、追加キーＫ６２が選択されたことを契機として、新たな入力受付部を表示させる。このようにすることで、ユーザＵは、実施したい点検を任意に追加することができる。
【００４１】
表示制御部２５４は、選択された選択対象項目を点検実施項目として登録することを確認するための確認画面を表示部２３に表示させる。例えば、表示制御部２５４は、確認画面に遷移するための確認キーＫ７１が選択されたことを契機として、ユーザＵが選択した選択対象項目を含む確認画面を表示部２３に表示させる。図９は、確認画面の一例を示す模式図である。表示制御部２５４は、ユーザＵが選択した点検項目、及びユーザＵが入力した追加する点検項目を表示させる。図９の例では、選択された「可動部品の点検」と、追加する点検項目として入力を受け付けた「地面へのオイル漏れ」が表示されている。
【００４２】
表示制御部２５４は、点検対象項目が示す複数の点検項目のうち、選択を受け付けていない点検項目を示す注意情報を表示部２３に表示させる。具体的には、表示制御部２５４は、選択点検項目として表示させた点検項目のうち、選択を受け付けていない選択対象項目を強調して表示させる。図９の例では、「左エアタンク」が選択されてないことを示す情報として「左エアタンクの点検が選択されていません。」という太字のテキストが枠に囲まれて表示されている。このように、点検支援装置２は、選択しなかった選択点検項目があることを確認できるようにするので、ユーザＵが点検すべき点検項目を選択し忘れてしまうことを抑制できる。
【００４３】
選択受付部２５５は、選択点検項目を点検実施項目として登録するための「登録」キーが選択されたことを契機として、選択された選択点検項目及び入力された点検項目を車両登録情報に関連付けて記憶部２４に記憶させる。また、表示制御部２５４は、点検項目の選択をやり直すための「戻る」キーが選択された場合、再度点検項目の選択画面を表示させる。
【００４４】
表示制御部２５４は、選択された選択点検項目及び入力された点検項目を車両登録情報に関連付けて記憶部２４に記憶させた後、点検項目の登録が完了したことを通知する登録完了画面を表示させてもよい。また、表示制御部２５４は、登録完了画面を表示させた後、登録した点検実施項目に対応する点検画面を表示させてもよい。このようにすることで、ユーザＵは、点検項目を登録した車両１の点検をすみやかに開始することができる。
【００４５】
点検支援装置２が実行する処理の流れを説明する。図１０は、点検支援装置２が実行する処理のフローチャートである。まず、登録情報取得部２５１は、点検項目を登録する車両１に対応する車両登録情報を取得する（ステップＳ１）。車両識別番号取得部２５２は、車両登録情報に関連付けられた無線識別情報で識別される車載無線機１１から車両識別番号を取得する（ステップＳ２）。
【００４６】
点検項目情報取得部２５３は、車両識別番号で示される車両の型式に関連付けられた複数の点検項目を取得する（ステップＳ３）。表示制御部２５４は、取得した車両の型式に関連付けられた複数の点検項目を表示部２３に表示させる（ステップＳ４）。
【００４７】
選択受付部２５５は、表示部２３に表示された複数の点検項目のうち、点検を実施する点検項目の選択を受け付ける（ステップＳ５）。表示制御部２５４は、表示させた選択対象項目と、選択された点検項目とが一致するか否かを判定する（ステップＳ６）。表示制御部２５４は、表示させた選択対象項目と、選択された点検項目とが一致する場合（ステップＳ６でＹｅｓ）、注意情報を含まない確認画面を表示部２３に表示させる（ステップＳ７）。表示制御部２５４は、表示させた選択対象項目と、選択された点検項目とが一致しない場合（ステップＳ６でＮｏ）、注意情報を含む確認画面を表示部２３に表示させる（ステップＳ８）。
【００４８】
（変形例１）
点検実施項目として選択されなかった点検項目に関する情報が点検時に表示されない場合、点検する必要がないため表示されないのか、点検する必要があるのにも関わらず登録されていないのかがわからなくなることがある。そのため、点検支援装置２は、点検項目を登録する場合に選択されなかった点検項目に関する情報を含む点検結果を表示する。具体的には、表示制御部２５４は、点検実施項目を登録する場合に選択を受け付けていない点検項目を示す情報を含む点検結果画面を表示部２３に表示させる。図１１は、点検結果画面の一例を示す模式図である。図１１の例では、選択を受け付けていない点検項目を示す情報として、「左エアタンクの点検は未登録です。」というテキストが表示されている。このようにすることで、ユーザＵは、登録時に選択されなかった点検項目があることを把握できる。
【００４９】
（変形例２）
上記の説明に限らず、点検支援システムＳは、点検支援装置２と通信可能な点検管理装置を有していてもよい。点検管理装置は、点検アプリの少なくとも一部の機能を有する。点検管理装置は、例えば、車両１を点検する事業者が管理するサーバである。また、点検管理装置は、点検アプリの全ての機能を有していてもよい。この場合、点検管理装置の表示制御部は、車両１の点検を行うユーザＵの点検支援装置２に各種の情報を表示させる。具体的には、点検管理装置の表示制御部は、車両識別番号が示す車両の型式に関連付けられた複数の点検項目を点検対象項目として点検支援装置２に表示させる。
【００５０】
［実施形態に係る点検支援装置２の効果］
以上説明したとおり、点検支援装置２は、車両１に対応する車両登録情報を取得し、取得した車両登録情報に関連付けられた無線識別情報を有する車載無線機１１から、車両１の型式を示す車両識別番号を取得する。そして、点検支援装置２は、車両識別番号が示す車両１の型式に関連付けられた複数の点検項目を示す点検項目情報を点検対象項目として表示部２３に表示させる。このように、点検支援装置２が点検する車両１の型式に対応した点検項目を表示させることができるので、ユーザＵは、車両１の型式に適した点検を実施できる。
【００５１】
以上、本発明を実施の形態を用いて説明したが、本発明の技術的範囲は上記実施の形態に記載の範囲には限定されず、その要旨の範囲内で種々の変形及び変更が可能である。例えば、装置の全部又は一部は、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を併せ持つ。
【符号の説明】
【００５２】
Ｓ  点検支援システム
１  車両
１１  車載無線機
１２  各種ランプ
１３  各種センサ
１４  ＥＣＵ
１４１  記憶部
１４２  制御部
２  点検支援装置
２１  通信部
２２  操作部
２３  表示部
２４  記憶部
２５  制御部
２５１  登録情報取得部
２５２  車両識別番号取得部
２５３  点検項目情報取得部
２５４  表示制御部
２５５  選択受付部
Ｕ  ユーザ
【図１】
2020201226.tif 000003
【図２】
2020201226.tif 000004
【図３】
2020201226.tif 000005
【図４】
2020201226.tif 000006
【図５】
2020201226.tif 000007
【図６】
2020201226.tif 000008
【図７】
2020201226.tif 000009
【図８】
2020201226.tif 000010
【図９】
2020201226.tif 000011
【図１０】
2020201226.tif 000012
【図１１】
2020201226.tif 000013